(57)【要約】【課題】針仕事が不慣れな者であっても、縫い物が簡単に且つ確実におこなえる仕組みを付加した縫い針を提供する。【解決手段】一端に摘み部１２が設けられ他端に先鋭部１３を有する所定長さの縫い針１１であって、該縫い針１１の所要位置には、糸を係止するための上部係止部１４と下部係止部１５とが所定の間隔を開けて設けられると共に、両方の係止部１４、１５を交互に閉止可能な閉止片１６を有する。【選択図】      図２
2009060935.tif 000002
【特許請求の範囲】
【請求項１】
一端に摘み部が設けられ他端に先鋭部を有する所定長さの縫い針であって、
該縫い針の所要位置には、糸を係止するための上部係止部と下部係止部とが所定の間隔を開けて設けられると共に、両方の係止部を交互に閉止可能な閉止片を有すること
を特徴とする縫い針。
【請求項２】
前記上部係止部と下部係止部との間には、長溝が形成されており、該長溝に前記閉止片が回動自在に嵌合していることを特徴とする請求項１に記載の縫い針。
【請求項３】
前記摘み部は、Ｔ字状に形成されていることを特徴とする請求項１に記載の縫い針。
【発明の詳細な説明】
【技術分野】
【０００１】
本発明は、縫い針に関するものであり、更に詳しくは、針仕事が不慣れな者であっても、簡単に且つ確実に縫い物ができる、縫い針に関するものである。
【背景技術】
【０００２】
従来の縫い針としては、次のような構成のものが知られている。この縫い針は、所定長さに形成されて、一端に針穴が設けられており、他端に先鋭部を有し、針穴の側方には糸通し用の切欠部が設けられている（特許文献１、２又は３参照）。
【０００３】
このような構成の縫い針は、糸を沿わせて切欠部まで移動させることにより、糸が切欠部から針穴に入り込むこととなる。従って、高齢者や弱視者などであっても、糸通しの作業が簡単におこなえるのである。
【特許文献１】特開２００６−１０２２３１号公報
【特許文献２】実開平７−２８４号公報
【特許文献３】特開平６−３１０８７号公報
【発明の開示】
【発明が解決しようとする課題】
【０００４】
この従来例の縫い針においては、糸通しの作業は簡単におこなえるが、しかしながら、針仕事が不慣れな者にとっては、そもそも縫い物自体が厄介な作業であることに変わりはない。
【０００５】
従って、従来例における縫い針においては、針仕事が不慣れな者であっても、縫い物が簡単に且つ確実におこなえる仕組みを付加することに解決しなければならない課題を有している。
【課題を解決するための手段】
【０００６】
前記従来例の課題を解決する具体的手段として本発明は、一端に摘み部が設けられ他端に先鋭部を有する所定長さの縫い針であって、該縫い針の所要位置には、糸を係止するための上部係止部と下部係止部とが所定の間隔を開けて設けられると共に、両方の係止部を交互に閉止可能な閉止片を有することを特徴とする縫い針を提供するものである。
【０００７】
また、前記上部係止部と下部係止部との間には、長溝が形成されており、該長溝に前記閉止片が回動自在に嵌合していること、；
前記摘み部は、Ｔ字状に形成されていること、；
を含むものである。
【発明の効果】
【０００８】
本発明に係る縫い針は、一端に摘み部が設けられ他端に先鋭部を有する所定長さの縫い針であって、該縫い針の所要位置には、糸を係止するための上部係止部と下部係止部とが所定の間隔を開けて設けられると共に、両方の係止部を交互に閉止可能な閉止片を有することによって、この縫い針を用いて、後述する作業手順に沿って縫い物をすると、複数枚重ね合わせた被縫着物に対して、縫い針を貫通させないで縫着できることとなる。従って、作業者は縫い針とその挿通位置を常に視認できるので、縫着作業が確実に且つ簡単におこなえるという優れた効果を奏する。
【０００９】
また、上部係止部と下部係止部との間には、長溝が形成されており、該長溝に前記閉止片が回動自在に嵌合していることによって、上部係止部又は下部係止部に対して、閉止片を閉止又は開成する動作がスムーズに且つ確実におこなえるという優れた効果を奏する。
【００１０】
そして、摘み部は、Ｔ字状に形成されていることによって、摘み部を指で摘むことで縫い針の挿通が容易におこなえる。また、縫い針を被縫着物の裏面側に誤って貫通させることがないという種々の優れた効果を奏する。
【発明を実施するための最良の形態】
【００１１】
次に、本発明の実施の形態について図面を参照しながら説明する。まず、図１から図３において、符号１１は縫い針を示し、この縫い針１１は、所定長さの棒状に形成されており、一端に設けられた摘み部１２と、他端に有する先鋭部１３と、所定の間隔を開けて設けられる上部係止部１４及び下部係止部１５と、両方の係止部１４、１５を交互に閉止可能な閉止片１６とから構成される。
【００１２】
このような構成の縫い針１１は、長さが一例として、１００〜１８０mm程度で、太さが一例として、１〜３mm程度である。
【００１３】
摘み部１２は、Ｔ字状に形成されている。このような形状の摘み部１２を指で摘むことによって、被縫着物に対して縫い針１１の挿通が容易におこなえる。また、摘み部１２がストッパーの役目を果たすので、縫い針１１を被縫着物の裏面側に誤って貫通させることがない。
【００１４】
なお、摘み部１２の形状は、Ｔ字状に限定されることはなく、球状又は任意の形の膨出状に形成されてもよいことは勿論であり、更には、棒状等のように手で把持できる形状であってもよい。
【００１５】
先鋭部１３は、尖端状に形成されており、被縫着物を容易に挿通できるようになっている。
【００１６】
上部係止部１４は、縫い針１１の所要位置に設けられており、図２（イ）（ロ）に示すように、糸が安定して係止できるように上部側（摘み部１２側）に窪んだ凹形状に形成されている。また、上部係止部１４の縁部には、図３（ロ）に示すように、所定幅の凹部１７が形成されている。この凹部１７は、閉止片１６の先端部１６ａがピッタリと収まる形状になっている。
【００１７】
下部係止部１５は、上部係止部１４と所定の間隔を開けて設けられており、図２（イ）（ロ）に示すように、糸が安定して係止できるように下部側（先鋭部１３側）に窪んだ凹形状に形成されている。また、下部係止部１５の縁部には、図３（イ）に示すように、所定幅の凹部１８が形成されている。この凹部１８は、閉止片１６の先端部１６ａがピッタリと収まる形状になっている。このように、上部係止部１４と下部係止部１５とは、同形状で上下が対称に形成されているのである。
【００１８】
また、上部係止部１４と下部係止部１５との間には、図４に示すように、長溝１９が形成されており、この長溝１９の両側に壁部２０、２０が形成されている。
【００１９】
閉止片１６は、図２（イ）（ロ）に示すように、側面視が幅太の基部１６ｂと、幅細の先端部１６ａとを有しており、基部１６ｂが長溝１９に嵌合している。そして、両方の壁部２０、２０間に挿通した軸２１が基部１６ｂを軸支しており、閉止片１６が軸２１を中心にして、回動自在に形成されている。つまり、閉止片１６を上方に回動させて、先端部１６ａが凹部１７に収まると、上部係止部１４が閉止される（図２（イ）、図３（イ）参照）。また、閉止片１６を下方に回動させて、先端部１６ａが凹部１８に収まると、下部係止部１５が閉止される（図２（ロ）、図３（ロ）参照）。
【００２０】
次に、以上のような構成の縫い針１１を用いて、重ね合わせた被縫着物同士を縫着する作業手順について説明する。
【００２１】
なお、縫い針１１は、薄手の布同士を縫い合わせることも可能ではあるが、特に、帆布等の厚布や、皮革又は合成樹脂シート等のような厚手の被縫着物同士を縫い合わせる場合に適している。また、少なくとも上側に位置する被縫着物には、縫い針１１を挿通させる位置に沿って、案内用の小孔を予め穿設しておくことが望ましい。
【００２２】
先ず、縫い針１１の上部係止部１４に糸２２を係止して、閉止片１６を閉止してから（図５参照）、被縫着物２３の小孔(ａ)に縫い針１１を挿通させて、上部係止片１４を被縫着物２３の裏面側２３ｂに突出させる（第１の手順、図６参照）。
【００２３】
そして、閉止片１６を開成して上部係止部１４から糸２２を取り出してから、縫い針１１を被縫着物２３の表面側２３ａに抜き取る（第２の手順、図７参照）。このとき、糸２２は、被縫着物２３の裏面側２３ｂに残置しておく。
【００２４】
次に、縫い針１１を被縫着物２３の小孔(ｂ)に挿通させて、下部係止部１５を裏面側２３ｂに突出させる（第３の手順、図８参照）。
【００２５】
更に、下部係止部１５に糸２２を係止して閉止片１６を閉止してから、縫い針１１を糸２２と一緒に被縫着物２３の表面側２３ａに抜き取る（第４の手順、図９参照）。
【００２６】
そして、閉止片１６を開成して下部係止部１５から糸を取り出す（第５の手順、図１０参照）。
【００２７】
次に、上部係止部１４に糸２２を係止して閉止片１６を閉止してから、被縫着物２３の小孔(ｃ)に縫い針１１を挿通させて、上部係止片１４を被縫着物２３の裏面側２３ｂに突出させる（第１の手順と同じ、図１１参照）。
【００２８】
このように、第１の手順から第５の手順に沿って、小孔(ａ)、(ｂ)、(ｃ)、(ｄ)、…と縫着作業を順次繰り返すことによって、２枚の被縫着物２３同士を縫い合わせることができるのである。この場合、被縫着物２３に対して縫い針１１を貫通させることがないので、作業者は縫い針１１とその挿通位置（小孔(ａ)、(ｂ)、(ｃ)、(ｄ)、…）とを常に視認できる。従って、針仕事が不慣れな作業者であっても、縫着作業が確実に且つ簡単におこなえるのである。
【００２９】
次に、縫い針１１を用いた、他の縫着方法について説明する。上述の第１の手順から第５の手順に沿って、図１２に示すように、小孔(イ)、(ハ)、(ホ)、(ト)、…の順に、小孔を一孔ずつ飛ばして縫着作業を繰り返す。更に、小孔(ロ)、(ニ)、(ヘ)、…の順に、小孔を一孔ずつ飛ばして縫着作業を繰り返す。このように、小孔を一孔ずつ飛ばして交互に２回の縫着作業を繰り返すことによって、更に強固に被縫着物２４が縫着できるのである。
【図面の簡単な説明】
【００３０】
【図１】本発明に係る縫い針１１の正面図である。
【図２】（イ）上部係止部１４を閉止片１６で閉止した状態の、要部の側面図である。（ロ）下部係止部１５を閉止片１６で閉止した状態の、要部の側面図である。
【図３】（イ）上部係止部１４を閉止片１６で閉止した状態の、要部の正面図である。（ロ）下部係止部１５を閉止片１６で閉止した状態の、要部の正面図である。
【図４】本発明に係る縫い針１１を分解して示した、要部の正面図である。
【図５】上部係止部１４に糸２２を係止した状態の説明図である。
【図６】上部係止片１４を被縫着物２３の裏面側２３ｂに突出させた状態の説明図である（第１の手順）。
【図７】縫い針１１を被縫着物２３の表面側２３ａに抜き取った状態の説明図である（第２の手順）。
【図８】下部係止部１５を裏面側２３ｂに突出させた状態の説明図である（第３の手順）。
【図９】縫い針１１を糸２２と一緒に被縫着物２３の表面側２３ａに抜き取った状態の説明図である（第４の手順）。
【図１０】閉止片１６を開成して下部係止部１５から糸を取り出した状態の説明図である（第５の手順）。
【図１１】上部係止片１４に糸２２を係止して、被縫着物２３の裏面側２３ｂに突出させた状態の説明図である（第１の手順と同じ）。
【図１２】他の縫着方法で縫着された被縫着物２４の説明図である。
【符号の説明】
【００３１】
１１  縫い針
１２  摘み部
１３  先鋭部
１４  上部係止部
１５  下部係止部
１６  閉止片
１６ａ先端部
１６ｂ基部
１７、１８  凹部
１９  長溝
２０  壁部
２１  軸
２２  糸
２３  被縫着物
２３ａ表面側
２３ｂ裏面側
２４  被縫着物
【図１】
2009060935.tif 000003
【図２】
2009060935.tif 000004
【図３】
2009060935.tif 000005
【図４】
2009060935.tif 000006
【図５】
2009060935.tif 000007
【図６】
2009060935.tif 000008
【図７】
2009060935.tif 000009
【図８】
2009060935.tif 000010
【図９】
2009060935.tif 000011
【図１０】
2009060935.tif 000012
【図１１】
2009060935.tif 000013
【図１２】
2009060935.tif 000014